(57)【特許請求の範囲】
【請求項１】
コンテナ本体の上面開口の一開口縁に設けた本体側回動支持突部と、回動蓋の一外縁部に設けた蓋側回動支持突部とを、前記コンテナ本体の上面開口の一開口縁に沿って隣り合わせに並べ、前記本体側回動支持突部及び前記蓋側回動支持突部の何れか一方から他方に向かって突出した回動支持軸が、他方に形成された回動支持孔に挿入されることで、前記回動蓋が回動可能に支持されて前記上面開口を開閉可能なコンテナであって、
前記回動蓋を閉状態としたときに前記回動支持軸の軸方向で互い対向して前記回動支持軸が前記回動支持孔から抜ける方向への前記回動蓋の移動を規制しかつ、その規制を前記回動蓋の起立状態で解除可能な直動規制部を備えたコンテナにおいて、
各前記蓋側回動支持突部は、閉状態の前記回動蓋の一外縁部から上方に突出しかつ前記回動蓋の回動軸と平行な支持板部と、前記支持板部の上端部を外側に湾曲又は屈曲させてなる溝部と、前記溝部の両端を閉塞する１対の閉塞板部とを備えて、前記本体側回動支持突部寄りの一方の前記閉塞板部に前記回動支持軸が突設され、
前記コンテナ本体の前記一開口縁には、前記回動蓋を閉状態にしたときに、前記支持板部の外面に対向する段差面が形成され、
前記支持板部の外面のうち前記本体側回動支持突部側の側縁部に沿ってそれぞれ突出形成された前記直動規制部としての蓋側係合リブと、
前記段差面に突出形成されて、前記回動蓋を閉じたときに、前記蓋側係合リブに前記本体側回動支持突部と反対側から対向する前記直動規制部としての本体側係合リブとを備えたことを特徴とするコンテナ。
【請求項２】
前記回動蓋は、閉状態から２７０度離れた垂下姿勢まで回動可能に構成され、
前記コンテナ本体の前記一開口縁の上面には、前記回動蓋が前記垂下姿勢になったときに、前記支持板部が当接する上面当接部が設けられたことを特徴とする請求項１に記載のコンテナ。
【発明の詳細な説明】
【技術分野】
【０００１】
本発明は、コンテナ本体の上面開口の開口縁に回動蓋を回動可能に連結して備えたコンテナに関する。
【背景技術】
【０００２】
従来、この種のコンテナとして、コンテナ本体の上面開口の一開口縁に沿って設けられた複数の回動支持突部と、回動蓋の一外縁部に沿って設けられた複数の回動支持突部とが交互に並べられたものが知られている。このコンテナでは、蓋側の回動支持突部群のうち両端部の１対の回動支持突部から互いに逆向きに突出した１対の回動支持軸が、本体側の回動支持突部群のうち両端部の１対の回動支持突部に備えた回動支持孔に回動可能に軸支されている。また、残りの回動支持突部の間では、隣り合った回動支持突部の一方に備えた回動支持軸が他方に備えた軸受溝に受容されている（例えば、特許文献１参照）。
【先行技術文献】
【特許文献】
【０００３】
【特許文献１】特許第４０５１２６５号公報（図４，図７，図８）
【発明の概要】
【発明が解決しようとする課題】
【０００４】
しかしながら、上記した従来のコンテナでは、例えば落下してコンテナ本体の側面角部が床に打ち付けられてコンテナ本体が変形すると、回動支持軸が回動支持孔から抜けたり、回動支持軸が回動支持孔からずれて過大な負荷を受けることで破損したりして、回動蓋がコンテナ本体が外れる事態が生じ得た。
【０００５】
本発明は、上記事情に鑑みてなされたもので、従来より回動蓋がコンテナ本体から外れ難いコンテナの提供を目的とする。
【課題を解決するための手段】
【０００６】
上記目的を達成するためになされた請求項１の発明に係るコンテナは、コンテナ本体の上面開口の一開口縁に設けた本体側回動支持突部と、回動蓋の一外縁部に設けた蓋側回動支持突部とを、コンテナ本体の上面開口の一開口縁に沿って隣り合わせに並べ、本体側回動支持突部及び蓋側回動支持突部の何れか一方から他方に向かって突出した回動支持軸が、他方に形成された回動支持孔に挿入されることで、回動蓋が回動可能に支持されて上面開口を開閉可能なコンテナであって、回動蓋を閉状態としたときに回動支持軸の軸方向で互い対向して回動支持軸が回動支持孔から抜ける方向への回動蓋の移動を規制しかつ、その規制を回動蓋の起立状態で解除可能な直動規制部を備えたコンテナにおいて、各蓋側回動支持突部は、閉状態の回動蓋の一外縁部から上方に突出しかつ回動蓋の回動軸と平行な支持板部と、支持板部の上端部を外側に湾曲又は屈曲させてなる溝部と、溝部の両端を閉塞する１対の閉塞板部とを備えて、本体側回動支持突部寄りの一方の閉塞板部に回動支持軸が突設され、コンテナ本体の一開口縁には、回動蓋を閉状態にしたときに、支持板部の外面に対向する段差面が形成され、支持板部の外面のうち本体側回動支持突部側の側縁部に沿ってそれぞれ突出形成された直動規制部としての蓋側係合リブと、段差面に突出形成されて、回動蓋を閉じたときに、蓋側係合リブに本体側回動支持突部と反対側から対向する直動規制部としての本体側係合リブとを備えたところに特徴を有する。
【０００８】
請求項２の発明は、請求項１に記載のコンテナにおいて、回動蓋は、閉状態から２７０度離れた垂下姿勢まで回動可能に構成され、コンテナ本体の一開口縁の上面には、回動蓋が垂下姿勢になったときに、支持板部が当接する上面当接部が設けられたところに特徴を有する。
【発明の効果】
【０００９】
請求項１のコンテナでは、回動蓋を閉状態にすると、コンテナ本体と回動蓋とにそれぞれ設けられた直動規制部が回動支持軸の軸方向で互い対向することで、回動支持軸が回動支持孔から抜ける方向への回動蓋の移動が規制される。しかも、その移動規制のための直動規制部が、本体側回動支持突部と回動蓋の一外縁部とにそれぞれ設けられるか、又は、蓋側回動支持突部とコンテナ本体の一開口縁とにそれぞれ設けられて、回動支持孔と回動支持軸の近傍に位置しているので、コンテナ本体が変形しても、回動支持軸が回動支持孔から抜けたり、ずれたりすることを確実に防ぐことができる。これにより、本発明のコンテナでは、従来より回動蓋をコンテナ本体から外れ難くすることができる。また、回動蓋を起立状態にすると直動規制部による回動蓋の移動規制が解除されるので、回動蓋をコンテナ本体に組み付ける際に、回動蓋を起立状態にして回動支持軸を回動支持孔に容易に挿入することができる。即ち、コンテナ本体に対する回動蓋の組み付けを容易に行うことができる。
【００１０】
さらに、回動蓋を閉状態にすると、蓋側回動支持突部が有する支持板部の外面に、コンテナ本体の一開口縁の段差面が外側から対向する。そして、支持板部の外面に突出形成された直動規制部としての蓋側係合リブに対して、段差面に突出形成された直動規制部としての本体側係合リブが対向して、回動支持軸が回動支持孔から抜ける方向への回動蓋の移動が規制される。また、蓋側係合リブは、支持板部を補強する役割も果たす。
【００１１】
請求項２のコンテナでは、回動蓋は、閉状態から２７０度離れた垂下姿勢まで回動すると、回動蓋の支持板部が、コンテナ本体の一開口縁の上面に設けた上面当接部と当接して、回動蓋の自重を受け止める。これにより、回動支持軸及び回動支持孔に対する負荷が軽減されてそれら回動支持軸及び回動支持孔の変形が抑えられ、この点においても従来より回動蓋をコンテナ本体から外れ難くすることができる。
【図面の簡単な説明】
【００１２】
【図１】本発明の一実施形態に係るコンテナの斜視図
【図２】回動蓋を閉状態にしたコンテナの斜視図
【図３】折畳状態のコンテナの斜視図
【図４】上部枠の斜視図
【図５】上部枠と回動蓋の一部を拡大した斜視図
【図６】上部枠の一部を拡大した斜視図
【図７】回動蓋の全体の斜視図
【図８】第１と第２の軸支持突部の斜視図
【図９】回動蓋と上部枠の一部を破断した斜視図
【図１０】回動蓋と閉状態にしたコンテナの側断面図
【図１１】回動蓋を垂下姿勢にしたコンテナの側断面図
【図１２】回動蓋と上部枠の一部を拡大した平断面図
【図１３】上部枠と回動蓋の一部を拡大した斜視図
【発明を実施するための形態】
【００１３】
以下、本発明の一実施形態を図１〜図１３に基づいて説明する。図１に示すように、本実施形態のコンテナ１０は、上面開放の箱形状をなしたコンテナ本体１０Ｈの上面に１対の回動蓋５０，５０を回動可能に組み付けてなる。
【００１４】
図２に示すように、コンテナ本体１０Ｈは、その底部を構成する底部ベース１１と上部を構成する上部枠２０との間に、１対の跳上側壁４０，４０と１対の折曲側壁３０，３０とを備えている。また、底部ベース１１及び上部枠２０は、共に平面形状が長方形になっていて、図１に示すように、コンテナ本体１０Ｈの上面開口１０Ｋも長方形になっている。
【００１５】
図２に示すように、各折曲側壁３０は、上下方向の中央に備えた中間ヒンジ３０Ａで上側折曲側壁３１と下側折曲側壁３２とに分割されて内側に２つ折り可能に構成され、各折曲側壁３０の上下の両端部が、上部枠２０と底部ベース１１の各長辺部分に回動可能に連結されている。また、各跳上側壁４０は、上端部のみが上部枠２０の各短辺部分に回動可能に連結され、起立姿勢で１対の折曲側壁３０，３０の間に挟まれ、その起立姿勢から内側に回動して１対の折曲側壁３０，３０の間から上方に退き上部枠２０の内部に収容されるようになっている。
【００１６】
この構成により、コンテナ本体１０Ｈは、図２に示した組立状態から１対の跳上側壁４０，４０、１対の折曲側壁３０，３０の順番で折り畳んで図３に示した折畳状態にすることができる。そして、折畳状態になると、下側折曲側壁３２が底部ベース１１の外縁部に備えた包囲壁１１Ａの内側に収容されると共に、上側折曲側壁３１が上部枠２０の内側に収容されて、上部枠２０の下端部が包囲壁１１Ａの上面に当接する。
【００１７】
なお、上側及び下側の折曲側壁３１，３２と跳上側壁４０は、図２に示すように、それぞれ外縁部全体を構成する不透明な樹脂製の枠部材３１Ｈ，３２Ｈ，４０Ｈと、それら枠部材３１Ｈ，３２Ｈ，４０Ｈの内側開口を閉塞した無色透明な樹脂製の窓板部材３１Ｇ，３２Ｇ，４０Ｇとを一体成形した構造になっている。
【００１８】
図１に示すように、１対の回動蓋５０，５０は、コンテナ本体１０Ｈの上面のうち上面開口１０Ｋの開口縁における１対の長辺部分（即ち、上部枠２０における１対の長辺部分の上面）に回動可能に連結されている。これら回動蓋５０，５０は、図２に示すように、先端に波形湾曲部５０Ｗを有し、回動蓋５０，５０が閉状態になると一方の回動蓋５０の波形湾曲部５０Ｗにおける山部分が他方の回動蓋５０の波形湾曲部５０Ｗにおける谷部分に収まる。
【００１９】
また、各回動蓋５０の外縁部における１対の短辺部分には、それぞれ矩形孔５０Ａが貫通形成されている。そして、回動蓋５０を閉状態にすると、上部枠２０の各短辺部分の上面から突出した断面矩形の上面突部２０Ａが矩形孔５０Ａを貫通して、回動蓋５０の横ずれを規制する。
【００２０】
さらに、各回動蓋５０の外縁部における一方の短辺部分には、ロックスライダ６０がスライド可能に組み付けられていて、両回動蓋５０，５０を閉状態にするとそれら両回動蓋５０，５０のロックスライダ６０，６０の先端が上部枠２０における１対の短辺部分の内側面に突き合わされる。また、図１に示すように、上部枠２０における１対の短辺部分の内側面には、それぞれ係合スリット２０Ｂが形成されていて（図１には、一方の係合スリット２０Ｂのみが示されている）、ロックスライダ６０をスライドさせることで、ロックスライダ６０の先端を係合スリット２０Ｂに挿入して回動蓋５０を閉状態に固定することができる。
【００２１】
なお、回動蓋５０も上記した上側及び下側の折曲側壁３１，３２等と同様に、外縁部全体を構成する不透明な樹脂製の枠部材５０Ｈと、その枠部材５０Ｈの内側開口を閉塞した無色透明な樹脂製の窓板部材５０Ｇとを一体成形した構造になっている。
【００２２】
さて、回動蓋５０をコンテナ本体１０Ｈの上面に回動可能に連結するために、図４に示すように上部枠２０における１対の長辺部分の上面には、それらの長手方向に沿って軸受突部群２９Ｇが一列に並べて設けられると共に、図７に示すように、各回動蓋５０には、上部枠２０の長辺部分に対応した一外縁部に沿って軸支持突部群５９Ｇが一列に並べて設けられている。
【００２３】
まず、上部枠２０の軸受突部群２９Ｇについて詳説する。図４に示した軸受突部群２９Ｇのうち両端部は、本発明に係る「本体側回動支持突部」に相当する１対の第１軸受突部２１，２１になっていて、それら１対の第１軸受突部２１，２１は、上部枠２０の長辺部分における両端寄り位置に配置されている。そして、軸受突部群２９Ｇのうち中央の第５軸受突部２５と各第１軸受突部２１との間に、それぞれ第１軸受突部２１側から順番に第２軸受突部２２、第３軸受突部２３及び第４軸受突部２４が間隔を空けて配置されている。即ち、第５軸受突部２５の両側に第１〜第４の軸受突部２１〜２４がそれぞれ対をなして左右対称に配置されている。そして、これら第１〜第５の軸受突部２１〜２５によって軸受突部群２９Ｇが構成されている。
【００２４】
また、図５に示すように、上部枠２０の長辺部分の上面のうち上面開口１０Ｋから離れた外縁部には、軸受突部群２９Ｇの間に上面段差突部２８が設けられ、その上面段差突部２８によってコンテナ本体１０Ｈの上面に、本発明に係る段差面２８Ａが形成されている。そして、第１軸受突部２１のうち上面段差突部２８の上面より上側部分に回動支持孔２１Ｃが形成されると共に、第２〜第５の軸受突部２２〜２５のうち上面段差突部２８の上面より上側部分に軸受溝２２Ｃ，２３Ｃ，２４Ｃ，２５Ｃがそれぞれ形成されている。
【００２５】
図６に示すように、第１軸受突部２１は、断面異形の筒体の上面を閉塞した構造をなしている。また、回動支持孔２１Ｃは、第１軸受突部２１のうち第２軸受突部２２側を向いた側面に開口した丸孔になっている。そして、回動支持孔２１Ｃの中心軸Ｓ１が上部枠２０の上面における長辺部分の長手方向と平行になっている。なお、第１軸受突部２１の側面における回動支持孔２１Ｃの開口縁には、回動支持孔２１Ｃの直径より大きな幅で回動支持孔２１Ｃから第１軸受突部２１の上面まで延びた陥没溝２１Ｄが形成されている。
【００２６】
第２軸受突部２２は、上部枠２０の上面から起立し、回動支持孔２１Ｃの中心軸Ｓ１と平行な矩形突壁２２Ｄと、その矩形突壁２２Ｄの両側縁部から上面開口１０Ｋ側に突出した１対の下側支持壁２２Ａ，２２Ａと、矩形突壁２２Ｄの上端縁から上面開口１０Ｋ側に突出した上部突片２２Ｂとを備えている。１対の下側支持壁２２Ａ，２２Ａの上端部は、矩形突壁２２Ｄの上下方向における中間に位置しかつ、矩形突壁２２Ｄ側が円弧状に窪んでいる。また、上部突片２２Ｂは、先端に向かうに従って下方に向かうように湾曲している。これにより、第２軸受突部２２のうち下側支持壁２２Ａ，２２Ａの上端部と上部突片２２Ｂの下面との間には、回動支持孔２１Ｃの軸方向から見て上面開口１０Ｋ側に開放したＣ字形の軸受溝２２Ｃが形成されている。
【００２７】
第４軸受突部２４は、第２軸受突部２２と同様の構造を有し、回動支持孔２１Ｃの軸方向から見て上面開口１０Ｋ側に開放したＣ字形の軸受溝２４Ｃを備えている。
【００２８】
第３軸受突部２３は、上部枠２０の上面から起立し、回動支持孔２１Ｃの軸方向と平行な矩形突壁２３Ｄと、矩形突壁２３Ｄの幅方向の中央から上面開口１０Ｋ側に突出した中央区画壁２３Ａと、矩形突壁２３Ｄの上端縁から上面開口１０Ｋ側に突出したフック壁２３Ｂとを備えている。そして、フック壁２３Ｂの下面に半円弧状の溝形状をなしかつ中央区画壁２３Ａによって２つに区画された１対の軸受溝２３Ｃ，２３Ｃが備えられている。
【００２９】
図５に示すように、第５軸受突部２５は、第３軸受突部２３の矩形突壁２３Ｄより横幅が広い矩形突壁２５Ｄと、第３軸受突部２３の中央区画壁２３Ａより厚い中央区画壁２５Ａと、第３軸受突部２３のフック壁２３Ｂと同様のフック壁２５Ｂとを有し、１対のフック壁２５Ｂの下面に中央区画壁２５Ａによって２つに区画された１対の軸受溝２５Ｃ，２５Ｃを備えている。そして、上記した軸受溝２２Ｃ，２３Ｃ，２４Ｃ，２５Ｃと回動支持孔２１Ｃとが同軸上に配置されている。
【００３０】
図６に示すように、第１軸受突部２１と第２軸受突部２２との間の上面段差突部２８の上面には、第１軸受突部２１側の端部を段付き状に高くして本発明に係る上面当接部２７Ａが形成されている。また、その上面段差突部２８の段差面２８Ａには、第１軸受突部２１側の端部寄り位置に本発明に係る「直動規制部」及び「本体側係合リブ」としての本体側係合リブ２６が形成されている。本体側係合リブ２６は、段差面２８Ａから段付き状に突出して上下方向に延びている。また、本体側係合リブ２６の両側面は、回動支持孔２１Ｃの軸方向と直交した平坦面になっている。さらに、本体側係合リブ２６の一方の側面は、上面当接部２７Ａのうち上面段差突部２８の上面に対する段差面と面一になっていて、本体側係合リブ２６の他方の側面は、第１軸受突部２１の側面との間に隙間を空けて対向している。また、本実施形態では、第２軸受突部２２と第３軸受突部２３との間の上面段差突部２８の上面にも、第２軸受突部２２側の端部を段付き状に高くして本発明に係る上面当接部２７Ｂが形成されると共に、第３軸受突部２３と第４軸受突部２４との間の上面段差突部２８の上面にも、第４軸受突部２４側の端部を段付き状に高くして本発明に係る上面当接部２７Ｃが形成されている。
【００３１】
上部枠２０の軸受突部群２９Ｇに関しては以上であり、次に、回動蓋５０の軸支持突部群５９Ｇについて詳説する。図７に示すように、回動蓋５０には、軸支持突部群５９Ｇを設けるために、回動蓋５０の一外縁部における両端寄り位置の間を、窓板部材５０Ｇ側にずらして外縁切欠部５０Ｐが形成され、その外縁切欠部５０Ｐの内部に軸支持突部群５９Ｇが設けられている。軸支持突部群５９Ｇの両端部は、本発明に係る「蓋側回動支持突部」に相当する１対の第１軸支持突部５１，５１になっていて、それら１対の第１軸支持突部５１，５１の内側に間隔を空けて１対の第２軸支持突部５２，５２が配置され、さらに、１対の第３軸支持突部５３，５３の内側に間隔を空けて１対の第４軸支持突部５４，５４が配置されている。そして、１対の第４軸支持突部５４，５４の間の中心に対して第１〜第４の軸支持突部５１〜５４が左右対称に配置され、これら第１〜第４の軸支持突部５１〜５４によって軸支持突部群５９Ｇが構成されている。
【００３２】
また、第１〜第４の軸支持突部５１〜５４は、外縁切欠部５０Ｐの奥面から窓板部材５０Ｇと平行になって突出した複数の蓋外縁突片７０Ａの先端に一体形成されている。具体的には、第１〜第４の軸支持突部５１〜５４は、何れも、図９に示すように蓋外縁突片７０Ａの先端から上側に起立した支持板部７１と、支持板部７１の上端部を外側に湾曲させてなる溝部７２と、図８に示すように、溝部７２の両端を閉塞する１対の閉塞板部７３とを備えた構造になっている。また、上記した蓋外縁突片７０Ａと支持板部７１とは同じ幅をなし、蓋外縁突片７０Ａの下面における両側縁部には、１対の外面サイドリブ７０Ｂ，７０Ｂが突出形成されると共に、支持板部７１の外面における両側縁部には、１対の外面サイドリブ７５Ａ，７５Ｂが突出形成され、それら１対の外面サイドリブ７５Ａ，７５Ｂの上端部が閉塞板部７３，７３に繋がっている。さらに、支持板部７１の下端部は、蓋外縁突片７０Ａの下面から突出していて、その支持板部７１の下面と外面サイドリブ７０Ｂ，７０Ｂの下面と外面サイドリブ７５Ａ，７５Ｂの下面が面一になっている。
【００３３】
そして、本実施形態では、１対の第１軸支持突部５１，５１に備えた外面サイドリブ７５Ａ，７５Ｂのうち第２軸支持突部５２，５２から離れた側の一方の外面サイドリブ７５Ａ，７５Ａが、本発明に係る「直動規制部」及び「蓋側係合リブ」になっている。
【００３４】
なお、図７に示すように、隣り合った第１と第２の軸支持突部５１，５２の間と、第２と第３の軸支持突部５２，５３の間と、第３と第４の軸支持突部５３，５４の間とには、蓋外縁突片７０Ａ，７０Ａの側部対向面の基端部を連絡するように連絡板７０Ｃが形成され、図８に示すように、各連絡板７０Ｃの下面の先端縁には、連絡リブ７０Ｄが突出係止されている。
【００３５】
図７に示すように、第１〜第４の軸支持突部５１〜５４における各閉塞板部７３の外側面には、同軸上に第１〜第５の回動支持軸２１Ｊ〜２５Ｊが設けられている。第１回動支持軸２１Ｊは、第１軸支持突部５１のうち第２軸支持突部５２との反対面から突出している。第２回動支持軸２２Ｊは、第１と第２の軸支持突部５１，５２の対向面間に差し渡され、第３回動支持軸２３Ｊは、第２と第３の軸支持突部５２，５３の対向面にそれぞれ形成されて、間隔を空けて突き合わされている。また、第４回動支持軸２４Ｊは、第３と第４の軸支持突部５３，５４の対向面の間に差し渡され、第５回動支持軸２５Ｊは、両第４軸支持突部５４，５４の対向面にそれぞれ形成されて、間隔を空けて突き合わされている。また、第１〜第５の回動支持軸２１Ｊ〜２５Ｊは、断面円形の棒状をなしている。さらに、両持ち状態の第２及び第４の回動支持軸２２Ｊ，２４Ｊは、片持ち状態の第１及び第３及び第５の回動支持軸２１Ｊ，２３Ｊ，２５Ｊに比べて径が小さくなっている。
【００３６】
回動蓋５０の軸支持突部群５９Ｇに関しては以上である。図１に示すように、回動蓋５０が上部枠２０に組み付けられた状態では、上記した軸支持突部群５９Ｇを構成する第１〜第４の軸支持突部５１〜５４と、軸受突部群２９Ｇを構成する第１〜第５の軸受突部２１〜２５は交互に並び、それらの両端部では、１対の第１軸受突部２１，２１の内側に１対の第１軸支持突部５１，５１が配置された状態になる。そして、図１２に示すように、第１回動支持軸２１Ｊが回動支持孔２１Ｃに挿入され、第２回動支持軸２２Ｊが軸受溝２２Ｃに受容され、図示しないが、第３回動支持軸２３Ｊが軸受溝２３Ｃに受容され、第４回動支持軸２４Ｊが軸受溝２４Ｃに受容され、第５回動支持軸２５Ｊが軸受溝２５Ｃに受容される。これにより、回動蓋５０が上部枠２０に対して回動可能に連結されている。
【００３７】
また、回動蓋５０を上部枠２０に組み付けるには、上部枠２０の上方で回動蓋５０を起立状態にして１対の第１軸支持突部５１，５１の間を湾曲状に弾性変形させ、両第１軸支持突部５１，５１の第１回動支持軸２１Ｊ，２１Ｊを１対の第１軸受突部２１，２１の側面における回動支持孔２１Ｃ，２１Ｃの開口に突き合わせ、回動蓋５０を弾性復元させる。すると、その弾性復元の過程で第１回動支持軸２１Ｊ，２１Ｊが回動支持孔２１Ｃ，２１Ｃに挿入されると共に、第３及び第５の回動支持軸２３Ｊ，２５Ｊが上面開口１０Ｋ側から第３及び第５の軸受突部２３，２５のフック壁２３Ｂ，２５Ｂの先端下縁部に摺接して軸受溝２３Ｃ，２５Ｃに受容され、さらに、第２及び第４の回動支持軸２２Ｊ，２４Ｊが、第２及び第４の軸受突部２２，２４の上部突片２２Ｂ，２２Ｂを弾性変形させながら軸受溝２２Ｃ，２４Ｃに押し込まれる。このようにして、回動蓋５０が上部枠２０に組み付けられている。
【００３８】
本実施形態のコンテナ１０の構成に関する説明は、以上である。次に、このコンテナ１０の作用効果について説明する。コンテナ１０では、回動蓋５０を閉状態にすると、回動蓋５０の各第１軸支持突部５１における支持板部７１に対して、コンテナ本体１０Ｈの一開口縁に設けた段差面２８Ａが外側から対向する（図１０参照）。そして、支持板部７１のうち第１回動支持軸２１Ｊ側に備えた外面サイドリブ７５Ａに、段差面２８Ａに形成された本体側係合リブ２６が第１軸受突部２１と反対側から対向する（図１２参照）。これにより、回動蓋５０における回動軸方向の両端寄り位置で、それぞれ第１回動支持軸２１Ｊが回動支持孔２１Ｃから抜ける方向への回動蓋５０の移動が規制される。しかも、その移動規制のための本体側係合リブ２６及び外面サイドリブ７５Ａが、回動支持孔２１Ｃと第１回動支持軸２１Ｊの近傍に位置しているので、例えば、コンテナ本体１０が落下して床に打ち付けられることでコンテナ本体１０Ｈが変形しても、第１回動支持軸２１Ｊが回動支持孔２１Ｃから抜けたり、ずれたりすることを確実に防ぐことができる。これにより、本実施形態のコンテナ１０では、従来より回動蓋５０をコンテナ本体１０Ｈから外れ難くすることができる。
【００３９】
また、回動蓋５０を起立状態にすると図１３に示すように、外面サイドリブ７５Ａと本体側係合リブ２６とが対向しなくなり、回動蓋５０の移動規制が解除されるので、回動蓋５０をコンテナ本体１０Ｈに組み付ける際に、回動蓋５０を起立状態にして、例えば、湾曲変形させた後、弾性復元させて１対の第１回動支持軸２１Ｊ，２１Ｊを１対の回動支持孔２１Ｃ，２１Ｃに容易に挿入することができる。即ち、コンテナ本体１０Ｈに対する回動蓋５０の組み付けを容易に行うことができる。
【００４０】
さらには、本実施形態のコンテナ１０では、回動蓋５０を閉状態から２７０度離れた垂下姿勢まで回動して開くと、第１軸支持突部５１及び第２軸支持突部５２における支持板部７１，７１が、コンテナ本体１０Ｈの一開口縁に備えた上面当接部２７Ａ，２７Ｂ，２７Ｃに当接する（図１１参照）。これにより、垂下姿勢の回動蓋５０の自重を上面当接部２７Ａ，２７Ｂ，２７Ｃにて受け止めることでき、第１回動支持軸２１Ｊ及び回動支持孔２１Ｃに対する負荷が軽減されて第１回動支持軸２１Ｊ及び回動支持孔２１Ｃの変形が抑えられる。このことによっても、従来より回動蓋５０をコンテナ本体１０Ｈから外れ難くすることができる。
【００４１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４２】
（１）前記実施形態では、折り畳み可能なコンテナ本体１０に回動蓋５０，５０を備えたコンテナ１０に本発明を適用した一例を示したが、折り畳み不能なコンテナ本体に回動蓋を備えたコンテナに本発明を適用してもよい。
【符号の説明】
【００４４】
１０    コンテナ
１０Ｈ  コンテナ本体
１０Ｋ  上面開口
２０    上部枠
２１    第１軸受突部（本体側回動支持突部）
２１Ｃ  回動支持孔
２１Ｊ  第１回動支持軸（回動支持軸）
２６    本体側係合リブ（直動規制部）
２７Ａ，２７Ｂ，２７Ｃ  上面当接部
２８    上面段差突部
２８Ａ  段差面
５０    回動蓋
５１    第１軸支持突部（蓋側回動支持突部）
７１    支持板部
７２    溝部
７３    閉塞板部
７５Ａ  外面サイドリブ（直動規制部，蓋側係合リブ）
【図１】
0005748283.tif 000002
【図２】
0005748283.tif 000003
【図３】
0005748283.tif 000004
【図４】
0005748283.tif 000005
【図５】
0005748283.tif 000006
【図６】
0005748283.tif 000007
【図７】
0005748283.tif 000008
【図８】
0005748283.tif 000009
【図９】
0005748283.tif 000010
【図１０】
0005748283.tif 000011
【図１１】
0005748283.tif 000012
【図１２】
0005748283.tif 000013
【図１３】
0005748283.tif 000014